(57)【要約】【課題】必要に応じてビデオフォーマット変換が可能であり、また、無変換のビデオスイッチャとしても使用可能な、簡単安価かつ小型軽量な優れたビデオスイッチャ装置を提供する。【解決手段】異なるビデオフォーマットのビデオ信号を入力可能な入力端子群と、各フォーマットの信号のいずれかを出力する出力端子群、さらに異なるビデオフォーマット間でフォーマット変換を行なうコンバータユニット２３の任意の端子同士を接続するよう信号切換を行なうマトリクススイッチ２１を有し、コンバータユニット２３はマトリクススイッチ２１および制御部２２とケーブル接続とする。コンバータユニット２３のケーブル接続を取り外した時は、入力端子群からそれぞれ入力されるビデオ信号を出力端子群にそれぞれそのまま出力するスルーのマトリクススイッチャとして動作する。【選択図】図４
2008098952.tif 000002
【特許請求の範囲】
【請求項１】
異なるビデオフォーマットのビデオ信号を入力可能な入力端子群と、
前記各フォーマットの信号のいずれかを出力する出力端子群と、
前記各フォーマットのうち一のビデオフォーマットから他のビデオフォーマットへのフォーマット変換を行なうコンバータ部と、
前記入力端子群の各入力端子、前記コンバータ部の入力端子および出力端子、および前記出力端子群の各出力端子と接続され、これら端子のうち任意の端子同士を接続するよう信号切換を行なうクロスポイントスイッチ部と、
前記コンバータ部のフォーマット変換動作、および前記クロスポイントスイッチ部の信号切換動作を制御する制御部を有し、
前記コンバータ部が前記クロスポイントスイッチ部および前記制御部とケーブル接続され、前記コンバータ部のケーブル接続を取り外した時、前記入力端子群からそれぞれ入力されるビデオ信号を前記出力端子群にそれぞれそのまま出力するスルーのマトリクススイッチャとして動作することを特徴とするビデオスイッチャ装置。
【請求項２】
前記コンバータ部が、互いに異なるビデオフォーマット間でフォーマット変換を行なうコンバータ基板を挿脱可能なスロットを複数有し、前記制御部の制御により、いずれのスロットに装着されたコンバータ基板を用いるかが決定されることを特徴とする請求項１に記載のビデオスイッチャ装置。
【請求項３】
前記コンバータ部が、前記スロットへのコンバータ基板の装着あるいはコンバータ基板の種類を検出する検出手段を有し、コンバータ基板が装着されたスロットのみに対するビデオ信号入出力制御が有効化されることを特徴とする請求項２に記載のビデオスイッチャ装置。
【請求項４】
前記入力端子群から入力されるビデオ信号のビデオフォーマットがＲＧＢ信号、ＮＴＳＣ信号、コンポーネント信号の各フォーマットのいずれかであることを特徴とする請求項１〜３のいずれか１項に記載のビデオスイッチャ装置。
【発明の詳細な説明】
【技術分野】
【０００１】
本発明は、入力端子群からビデオ信号を入力し、そのまま、あるいは必要であればビデオフォーマット変換を行なって特定の出力端子群から出力するビデオスイッチャ装置に関するものである。
【背景技術】
【０００２】
上記のようなビデオスイッチャ装置として、たとえば、業務用映像機器において様々なフォーマットの映像信号の切替/変換を行なうマトリクススイッチャが知られている。
【０００３】
この種の装置は、多数の入力端子群および出力端子群を有し、任意の入力端子から任意の出力端子へと信号伝送を行なえるよう構成されている。このような信号切換動作は、ビデオ信号用に構成されたクロスポイントスイッチ回路を用い、その信号切換動作を制御部がプログラミングすることによって行なわれる。
【０００４】
制御部は、操作パネルおよび制御基板から成るマトリクススイッチャの専用のハードウェアや、あるいは適当な接続インターフェースを介して接続されたＰＣ（パーソナルコンピュータ）などにより構成される。
【０００５】
また、入力機器と出力機器の間で、前提とされるビデオフォーマットが異なっている場合があり、この種のマトリクススイッチャでは、ビデオフォーマットを変換するコンバータ機能が内蔵される場合がある。
【０００６】
たとえば、ＲＧＢ入力端子しかもたない映像表示機に、ＮＴＳＣ信号の映像を表示させるためにはアップスキャンコンバータ（アップコンバータ）でフォーマットを変換する必要があり、逆にＮＴＳＣ信号しか入力端子のない映像表示機にＲＧＢ信号の映像を表示させるためにはダウンスキャンコンバータ（ダウンコンバータ）によってフォーマットを変換する必要がある。特許文献１はこのようなコンバータ内蔵のマトリクススイッチャの構成例を開示している。
【特許文献１】特許第２６８４０１４号
【発明の開示】
【発明が解決しようとする課題】
【０００７】
上述のようなマトリクススイッチャでは、コンバータ機能が要求される場合、ＲＧＢ信号、コンポジット信号（ＮＴＳＣ、ＰＡＬなど）、あるいはコンポーネント信号（ＩＴＵ−Ｒ  ＢＴ．６０１、ＢＴＡ  Ｓ−００１Ｂなど）のようなビデオフォーマット間で変換を行なうコンバータが組み込まれることがある。
【０００８】
たとえば、図１、図２のように単体の（変換機能無しの）マトリクススイッチャ１１の入力側にコンバータ１３ａ、１３ｂ…を挿入した構成（図１）、あるいは、マトリクススイッチャ１１の出力側にコンバータ１４ａ、１４ｂ…を挿入した構成（図２）が挙げられる。上記特許文献１の構成も、実質、このような構成に準じたものである。
【０００９】
より具体的な製品構成としては、図１および図２のコンバータ１３ａ、１３ｂ…、コンバータ１４ａ、１４ｂ…は、マトリクススイッチャ１１を構成する図３のクロスポイントスイッチ５３に対してスロット接続（５１、５２）されるようにしたものがある。各コンバータは、カード（基板）上に構成され、クロスポイントスイッチ５３のコネクタ５３ａの仕様に合致したカードエッジコネクタを含むインターフェースに対応できるよう作成する必要がある。
【００１０】
このように、従来では、スロット式のコンバータモジュールが取り付けられており、単体マトリクススイッチャと単体コンバータの組み合わせを一つの筐体に収めることにより、コンバータ内蔵のマトリクススイッチャを実現する構成が知られている。
【００１１】
しかしながら、このようにコンバータモジュールがスロット式の構成は、ハードウェアが大型化してしまう傾向がある。
【００１２】
図１〜図３に示す従来構成では、映像信号が入力されるとすぐにコンバータモジュールに入力され、その後マトリクススイッチャ部に入力されるか、あるいはマトリクススイッチャから出力される信号がコンバータモジュールに入力されてその後出力される構成になっているため、コンバータモジュールには必ず各映像フォーマットに対応したコネクタが配置されることと、また、スロット式に対応する機構になるように筐体を設計しなければならない。
【００１３】
また、図３に示すように、コンバータモジュールを要しない単純マトリクススイッチャとして使用する際には信号スルー用のモジュールをスロット部に挿入しなければならないので、コンバータ内蔵型マトリクススイッチャと単純なマトリクススイッチャを両方設計する必要がある場合には回路やハードウェアの共通化が難く、効率の良い設計／製造が不可能であった。
【００１４】
また、コンバータモジュールと単純マトリクススイッチャをそれぞれ単体として、それらの製品の組み合わせによるシステムを構成することも考えられるが、各製品にＡＣ電源や筐体が必要であり、コストが高くなってしまうし、システムを構成する上でも、さらに大きな設置スペースが必要となる、という問題がある。
【００１５】
本発明の課題は、上記の問題を解決し、必要に応じてビデオフォーマット変換が可能であり、また、無変換のビデオスイッチャとしても使用可能な、簡単安価かつ小型軽量なビデオスイッチャ装置を提供することにある。
【課題を解決するための手段】
【００１６】
以上の課題を解決するため、本発明においては、異なるビデオフォーマットのビデオ信号を入力可能な入力端子群と、
前記各フォーマットの信号のいずれかを出力する出力端子群と、
前記各フォーマットのうち一のビデオフォーマットから他のビデオフォーマットへのフォーマット変換を行なうコンバータ部と、
前記入力端子群の各入力端子、前記コンバータ部の入力端子および出力端子、および前記出力端子群の各出力端子と接続され、これら端子のうち任意の端子同士を接続するよう信号切換を行なうクロスポイントスイッチ部と、
前記コンバータ部のフォーマット変換動作、および前記クロスポイントスイッチ部の信号切換動作を制御する制御部を有し、
前記コンバータ部が前記クロスポイントスイッチ部および前記制御部とケーブル接続され、前記コンバータ部のケーブル接続を取り外した時、前記入力端子群からそれぞれ入力されるビデオ信号を前記出力端子群にそれぞれそのまま出力するスルーのマトリクススイッチャとして動作する構成を採用した。
【００１７】
あるいはさらに、前記コンバータ部が、互いに異なるビデオフォーマット間でフォーマット変換を行なうコンバータ基板を挿脱可能なスロットを複数有し、前記制御部の制御により、いずれのスロットに装着されたコンバータ基板を用いるかが決定される構成を採用した。
【００１８】
あるいはさらに、前記コンバータ部が、前記スロットへのコンバータ基板の装着あるいはコンバータ基板の種類を検出する検出手段を有し、コンバータ基板が装着されたスロットのみに対するビデオ信号入出力制御が有効化される構成を採用した。
【００１９】
あるいはさらに、前記入力端子群から入力されるビデオ信号のビデオフォーマットがＲＧＢ信号、ＮＴＳＣ信号、コンポーネント信号の各フォーマットのいずれかである構成を採用した。
【発明の効果】
【００２０】
以上の構成によれば、コンバータ部に対するビデオ信号の入出力をクロスポイントスイッチ部により信号切換し、コンバータ部がクロスポイントスイッチ部とケーブル接続される構成を採用しており、従来のようにコンバータ部をスロット接続する構成を用いていないので、装置が大型化してしまう問題がない。上記構成により、コンバータ部は筐体内に収容してしまうことができる。しかも、特定のビデオフォーマット変換機能が従来のように特定のスロットの入出力端子に固定されてしまうことがなく、クロスポイントスイッチ部のプログラミング次第で、任意の入出力端子に任意の映像機器を接続し、その間で必要なビデオフォーマット変換を行ない、あるいは無変換で任意の映像機器間でビデオ信号を伝送することができ、柔軟性が高い。また、ケーブル（あるいはさらにコンバータ部）を取り外した構成では、装置を単体マトリックススイッチャとして動作させることができ、コンバータ機能付き／無しのマトリックススイッチャ製品の構成を殆ど共通化することができるので、追加コストを殆ど必要とせず、これらの製品ラインアップを同時に開発、製造、出荷することができる。
【００２１】
さらに、コンバータ部を、コンバータ基板を挿脱可能なスロットを複数有するスロット構成とすることにより、ビデオフォーマットの変換機能を変更したり追加することが容易になる。
【００２２】
また、コンバータ部のスロットへのコンバータ基板の装着あるいはコンバータ基板の種類を検出する検出手段を設けることにより、コンバータ基板が装着されたスロットのみに対するビデオ信号入出力制御を有効化するような自動処理が可能となる。
【００２３】
さらに、コンバータ部の機能次第で、入力端子群からＲＧＢ信号、ＮＴＳＣ信号、コンポーネント信号のような異なるフォーマットのビデオ信号を入力し、これらのビデオ信号を変換／無変換で任意の出力端子群から出力することができる。
【００２４】
すなわち、本発明によれば、必要に応じてビデオフォーマット変換が可能であり、また、無変換のビデオスイッチャとしても使用可能な、簡単安価かつ小型軽量な優れたビデオスイッチャ装置を提供することができる。
【発明を実施するための最良の形態】
【００２５】
以下、発明を実施するための最良の形態の一例として、入力端子群からビデオ信号を入力し、そのまま、あるいは必要であればビデオフォーマット変換を行なって特定の出力端子群から出力するマトリクススイッチャに関する実施例を示す。
【実施例１】
【００２６】
図４および図５は、それぞれ、本発明を採用したマトリクススイッチャの回路構成および実装構成を示している。
【００２７】
図４のように、本実施例のマトリクススイッチャは、入力端子群（映像入力１、映像入力２…）および出力端子群（映像出力１、映像出力２…）の間でビデオ信号の接続交換を行なうことができるマトリクススイッチ２１を中心に構成されている。
【００２８】
また、本実施例では、必要に応じてビデオフォーマット変換を行なうために、従来のようにマトリクススイッチ２１の入力側または出力側のスロットにコンバータユニットを装着する構成は採用しておらず、その代り、コンバータユニット２３をマトリクススイッチャに内蔵し、コンバータユニット２３の入出力をマトリクススイッチ２１により接続交換できるようにしてある。
【００２９】
すなわち、図４に示すようにマトリクススイッチ２１のスイッチ端子には、ケーブル３６および３７を介してコンバータユニット２３が接続されている。
【００３０】
つまり、図４の構成では、マトリクススイッチ２１からビデオ信号をコンバータユニット２３に入力し、コンバータユニット２３の出力するビデオ信号をマトリクススイッチ２１に戻すことができるようになっている。また、後述するように、コンバータユニット２３に入力する信号は、マトリクススイッチ２１のプログラミングに応じて、マトリクススイッチ２１によるマルチプレクシング前のもの（入力側でコンバート）、マトリクススイッチ２１によるマルチプレクシング後のもの（出力側でコンバート）のいずれでも可能である。
【００３１】
また、コンバータユニット２３に信号を送ることなく、マトリクススイッチ２１により、入出力端子群の間でのみマルチプレクシングを行なうこともでき、いわゆる単体マトリクススイッチャと同等の動作も可能である。
【００３２】
マトリクススイッチ２１のプログラミング（信号切換状態）、あるいはコンバータユニット２３のビデオフォーマット変換は、制御部２２により制御される。
【００３３】
制御部２２は、操作パネルおよび制御基板から成るマトリクススイッチャの専用のハードウェアや、あるいは適当な接続インターフェースを介して接続されたＰＣ（パーソナルコンピュータ）などにより構成される。制御部２２のユーザーインターフェース（操作パネル、あるいはＰＣのディスプレイ、キーボードあるいはさらにマウスなどのポインティングデバイス）を介して行なわれるユーザ操作に応じてマトリクススイッチ２１のプログラミング（信号切換状態）、およびコンバータユニット２３のビデオフォーマット変換の態様が制御線２６および２７を介して制御される。
【００３４】
なお、入力端子群、出力端子群から入出力されるビデオ信号フォーマットは、必要な信号変換機能がコンバータユニット２３に用意されていることを前提とするが、ＲＧＢ信号、コンポジット信号（ＮＴＳＣ、ＰＡＬなど）、コンポーネント信号（ＩＴＵ−Ｒ  ＢＴ．６０１、ＢＴＡ  Ｓ−００１Ｂなど）のようなビデオフォーマットのいずれであっても対応可能である。
【００３５】
また、コンバータユニット２３のビデオフォーマット変換は、上記のようなサポートすべき入出力信号フォーマットに応じて複数種類用意しておき、制御部２２の制御に応じて選択できるようにしておく（後述の図８の実装例参照）。
【００３６】
図５は、図４の回路の実装例をより詳細に示したものである。図５の例では、筐体３０の一面（たとえば前面側）に入力端子群および出力端子群として入力コネクタ３４および出力コネクタ３５を配置してある。これらコネクタ３４、３５はマトリクススイッチ２１を構成するクロスポイントスイッチ基板３１の一端に配列（あるいはクロスポイントスイッチ基板３１とケーブルで接続）されている。なお、コネクタ３４、３５のうち、特定の入出力端子は、必要に応じてビデオ信号形式に応じたコネクタ形状のものを用意することができる。
【００３７】
コンバータユニット３３（図４の２３）は、ケーブル３６および３７により接続され、筐体３０内に収容されている。なお、後述のようにコンバータユニット３３をスロット形式で実装するような構成においては、コンバータユニット３３の一面を筐体３０の一面（たとえば背面側）に露出するように配置してもよい。
【００３８】
以上のような構成によれば、多数の入出力端子群を配置しても、従来のスロット形式の入出力端子のようにそのそれぞれにスロット用のスペースを必要とせず、コネクタの実装スペースのみが必要となるだけであり、従来のように装置が大型化してしまう問題がない。
【００３９】
従来のスロット形式の入出力端子のように、特定のビデオフォーマット変換機能が特定のスロットの入出力端子に固定されてしまうことがなく、マトリクススイッチのプログラミング次第で、任意の入出力端子に任意の映像機器を接続し、その間で必要なビデオフォーマット変換を行ない、あるいは無変換で任意の映像機器間でビデオ信号を伝送することができる。
【００４０】
また、ケーブル３６、３７、あるいはさらにコンバータユニット３３を取り外した構成でも、マトリクススイッチ２１（クロスポイントスイッチ３１）により、入出力端子群の間でのみマルチプレクシングするように接続交換を行なうことにより、いわゆる単体マトリクススイッチャと同等の動作が可能である。
【００４１】
ケーブル３６、３７、あるいはさらにコンバータユニット３３の取り外しは、ユーザやサービスマンが行なうだけではなく、最初からケーブル３６、３７、あるいはさらにコンバータユニット３３を除去した（含まない）構成を単体マトリクススイッチャ製品として出荷することができる。すなわち、本発明によれば、コンバータ機能付きのマトリクススイッチャ製品と単体マトリクススイッチャ製品の構成を殆ど共通化することができ、追加コストを殆ど必要とせず、これらの製品を同時に開発、製造、出荷することができる、というメリットがある。
【００４２】
また、コンバータユニット３３（２３）への信号入出力をマトリクススイッチ２１（クロスポイントスイッチ３１）で制御するようにしているので、コンバータユニット３３（２３）は、筐体３０内に収容してしまうことができ、この点でもスペース効率に優れている他、図６および図７に示すように、必要に応じて、コンバータユニット３３（２３）の信号変換をマトリクススイッチ２１（のマルチプレクシング）の入力側、出力側のいずれでも行なうことができる。
【００４３】
図６の例は、出力側にアップコンバータを設定する場合（入力信号->スイッチ->アップコンバータ->出力）のプログラミング例を示している。この場合、制御部２２により、コンバータユニット（アップコンバータ）３３の機能として、特定のアップコンバータ機能（ＮＴＳＣ->ＲＧＢ）を選択し、ＮＴＳＣ信号用の入力端子（映像入力１〜３）のビデオ信号をアップコンバータ３３に送り、アップコンバータ３３の出力はＲＧＢ入力（映像入力４、５）のビデオ信号とともに映像出力１のみに出力するよう、マトリクススイッチ２１を構成するクロスポイントスイッチ３１を切換える。この場合、ＲＧＢ入力はアップコンバータ３３を介さず映像出力１に出力される。
【００４４】
すなわち、図６のようなプログラミングによれば、複数のＮＴＳＣ信号入力をＲＧＢ信号に変換して映像出力１に出力できるほか、ＲＧＢ信号の入力はそのまま切り替えて映像出力１に出力できる（複数入力１出力）。また、アップコンバータをダウンコンバータに置き換えると複数のＲＧＢ信号入力をＮＴＳＣ信号に統一して映像出力１から出力できる（入力信号−＞スイッチ−＞ダウンコンバータ−＞出力：複数入力１出力）。
【００４５】
図７の例は、入力側にアップコンバータを設定する場合（入力信号−＞アップコンバータ−＞スイッチ−＞出力）のプログラミング例を示している。この場合、制御部２２により、アップコンバータ３３の機能として、特定のアップコンバータ機能（ＮＴＳＣ->ＲＧＢ）を選択し、ＮＴＳＣ信号用の入力端子（映像入力１）のビデオ信号をアップコンバータ３３に送るようマトリクススイッチ２１を構成するクロスポイントスイッチ３１を切換える。これにより、アップコンバータ３３を介してＮＴＳＣ信号入力をＲＧＢ信号に変換して映像出力１に出力できる他、図示のように他のＲＧＢ信号出力にもアップコンバートした映像を出力できる（１入力複数出力）。
【００４６】
なお、ダウンコンバータを入力に設定する場合（入力信号−＞ダウンコンバータ−＞スイッチ−＞出力）は、必然的に製品の全出力がＮＴＳＣでないと成り立たないが、ＮＴＳＣ信号の出力は（コンポジット信号であるため）信号本数が他の信号と一致せず、ＲＧＢ信号とコネクタを共有することが困難であるため、実際の製品仕様としては現実的ではないので、このようなプログラミングについては省略する。
【００４７】
図８は、コンバータユニット３３（図４の２３）の実装例を詳細に示している。図８の構造は、コンバータユニット３３をスロット式としたものである。コンバータユニット３３以外の構造は、図４〜図６で説明したものと同様とする。
【００４８】
図８において、コンバータユニット３３は、筐体内にベース基板４５を配置し、このベース基板４５にはクロスポイントスイッチ３１からビデオ信号を入力するケーブル３６（前述のケーブル３６に対応）を接続するコネクタ４５ｅ、コントロールボード（制御部２２）からの制御線２６を接続するコネクタ４５ｆが配設される。ベース基板４５の他の面には、コネクタ４５ａ〜４５ｄが配置されている。
【００４９】
コネクタ４５ａ〜４５ｄは、コンバータ基板４１〜４４の各コネクタ４１ａ、４２ａ、４３ａ、４４ａと接続される。
【００５０】
コンバータ基板４１〜４４には、アップコンバータ／ダウンコンバータなど任意のコンバータ機能が実装され、コンバータユニット３３の筐体などに設けられた不図示のガイドなどに沿ってコンバータユニット３３内に配置、位置決めされる。コンバータ基板４１〜４４の他端には、コネクタ４１ｂ、４２ｂ、４３ｂ、４４ｂが配置され、これらコネクタ４１ｂ、４２ｂ、４３ｂ、４４ｂは前述のケーブル３７に対応する信号線を介してクロスポイントスイッチ３１に接続される。この構成では、コネクタ４１ｂ、４２ｂ、４３ｂ、４４ｂから４つのコンバータ出力信号を別々にクロスポイントスイッチ３１に返すことができるが、あるいは、制御線２６を介した制御部２２の制御によりこれらのうち１つのみをクロスポイントスイッチ３１に返すように構成されていてもよい。
【００５１】
ベース基板４５に実装されたコンバータユニット３３の主回路は、制御線２６を介して、制御部２２の制御を受け、いずれのコンバータ基板４１〜４４の信号変換動作を有効化するか、またその動作モードを選択するなどの動作を行なう。
【００５２】
コンバータ基板４１〜４４は、好ましくはコンバータユニット３３の一面から、ユーザやサービスマンが挿脱できるように構成されるが、コネクタにコンバータ基板が挿入されるとコネクタ４５ａ〜４５ｄのピンの状態が変化し、当該スロットにおけるコンバータ基板の有無、あるいは種類を制御部２２（コントロールボード）が制御線２６を介して認識できるようにしておく。このようにコンバータ基板４１〜４４の有無、あるいは種類を検出する構成により、コンバータのセットアップ動作の一部を自動的に実行することができ、たとえばコンバータ基板が装着されたスロットのみに対するビデオ信号入出力制御が有効化する、無効なスロットに対するビデオ信号のスイッチングを不許可としたり、あるいは制御部２２のユーザーインターフェースを介してユーザに提示する制御メニューから除去したりする、などの制御を行なうことができる。
【００５３】
図８のようにコンバータユニットを構成する、すなわち、ユーザのカスタマイズの需要に対応する必要があるビデオ変換機能の部分のみにスロット構造を集中させる構成を採用することにより、従来装置と変らない柔軟性を確保することができ、ユーザの種々の需要に容易に対応できる。また、コンバータ基板４１〜４４とベース基板４５の接続インターフェース（コネクタ仕様／信号仕様）などを統一しておけば、コンバータ基板のアップグレードや変更が容易であり、後からシステムを高機能化することも可能であり、ユーザの需要を満たし、また、サードパーティ製造のコンバータ基板を装着することもできる。
【産業上の利用可能性】
【００５４】
本発明のビデオスイッチャ装置の構成は、入力端子群からビデオ信号を入力し、そのまま、あるいは必要であればビデオフォーマット変換を行なって特定の出力端子群から出力する各種ビデオスイッチャあるいは映像機器において実施することができる。
【図面の簡単な説明】
【００５５】
【図１】従来のビデオスイッチャの構成を示したブロック図である。
【図２】従来のビデオスイッチャの構成を示したブロック図である。
【図３】従来のビデオスイッチャの実装構成を示した説明図である。
【図４】本発明を採用したビデオスイッチャの構成を示したブロック図である。
【図５】本発明を採用したビデオスイッチャの実装構成を示した説明図である。
【図６】本発明を採用したビデオスイッチャの動作を示した説明図である。
【図７】本発明を採用したビデオスイッチャの動作を示した説明図である。
【図８】本発明を採用したビデオスイッチャのコンバータユニットの実装構成を示した説明図である。
【符号の説明】
【００５６】
１１  マトリクススイッチャ
１３ａ、１３ｂ  コンバータ
１４ａ、１４ｂ  コンバータ
２１  マトリクススイッチ
２２  制御部
２３  コンバータユニット
２６、２７  制御線
３０  筐体
３１  クロスポイントスイッチ
３３  コンバータユニット
３４  入力コネクタ
３５  出力コネクタ
３６、３７  ケーブル
４１ａ、４２ａ、４３ａ、４４ａ、４５ａ〜４５ｆ  コネクタ
４５  ベース基板
【図１】
2008098952.tif 000003
【図２】
2008098952.tif 000004
【図３】
2008098952.tif 000005
【図４】
2008098952.tif 000006
【図５】
2008098952.tif 000007
【図６】
2008098952.tif 000008
【図７】
2008098952.tif 000009
【図８】
2008098952.tif 000010